(57)【特許請求の範囲】
【請求項１】
光源を有する面状発光部及び前記面状発光部の裏面に設けられた給電部を有する器具本体と、
前記面状発光部の裏面に設けられ前記給電部を天井の取付穴に挿嵌して前記器具本体を前記取付穴に据付ける据付部と、を有する面状照明器具であって、
前記据付部が、前記面状発光部の中央部と外縁部との間でスライド及び固定可能であり、
前記据付部は、前記器具本体を前記取付穴に据付ける、複数個の据付用部材と、前記据付用部材をスライド及び固定可能に支持する据付用部材支持部と、を有し、
前記据付用部材支持部は、前記面状発光部の裏面から上方へ突出して取付けられている位置決めブロックと、前記据付用部材を保持してスライドするとともに前記位置決めブロックに位置決めされるスライド金具を有し、
前記据付用部材は、
前記据付用部材支持部に支持されるべく略垂直に折曲加工された取付部と、
前記取付部の下端から上に凸状に折曲されて前記天井等の前記裏面を押圧して前記器具本体を保持する保持部と、
を有することを特徴とする面状照明器具。
【請求項２】
前記面状発光部における前記給電部が取り付けられている側の面の外縁部付近に、外縁部から中心部に向かって高くなる傾斜面が設けられていることを特徴とする請求項１記載の面状照明器具。
【発明の詳細な説明】
【技術分野】
【０００１】
本発明は、天井等に設けられた取付穴に挿嵌して取付ける面状照明器具に関するものである。
【背景技術】
【０００２】
従来より、天井等に取付けられた照明器具等を取り外した後の種々の大きさの取付穴を塞ぐことにより外観を改善するための目隠し用プレートが提案されている（例えば特許文献１参照）。
【０００３】
図５に示すように、特許文献１に記載の取付穴目隠し用プレート１００は、天井板に設けられた取付穴より大きい寸法のプレート本体１０１を有しており、取付穴の周端の下面側に当接して取付穴を塞ぐように用いられる。このため、プレート本体１０１の裏面に、取付穴に挿入可能な突出部１０２を設けるとともに、この突出部１０２にプレート本体１０１との間で天井板の取付穴の周端部を挟持する取付バネ１０３を設けた。
【特許文献１】特開平８−１８０７２５号公報（第１図）
【発明の開示】
【発明が解決しようとする課題】
【０００４】
ところで、天井等に設けられている照明器具を取り外して、新たな照明器具を取付ける場合、取付穴の内径は、先に取付けられていた照明器具に対応して種々あり、新たに取付けられる照明器具が取付穴に比して小さい場合には、照明器具と取付穴との間の隙間を覆う目隠し用プレートを用いる必要がある。例えば、照明器具の外側に、特許文献１に記載の目隠し用プレート１００を円環状にして取付けることが考えられる。
しかしながら、目隠し用プレート１００では、取付バネ１０３によってプレート本体１０１との間に天井板を挟んで、プレート本体１０１と天井板との間の摩擦力によって保持されているだけなので、取付穴に対して照明器具がずれるおそれがあるという問題があった。
【０００５】
本発明は、従来の問題を解決するためになされたもので、種々の大きさの取付穴にずれないように取付けることができる面状照明器具を提供することを目的とする。
【課題を解決するための手段】
【０００６】
本発明の面状照明器具は、光源を有する面状発光部及び前記面状発光部の裏面に設けられた給電部を有する器具本体と、前記面状発光部の裏面に設けられ前記給電部を天井の取付穴に挿嵌して前記器具本体を前記取付穴に据付ける据付部と、を有する面状照明器具であって、前記据付部が、前記面状発光部の中央部と外縁部との間でスライド及び固定可能であり、前記据付部は、前記器具本体を前記取付穴に据付ける、複数個の据付用部材と、前記据付用部材をスライド及び固定可能に支持する据付用部材支持部と、を有し、前記据付用部材支持部は、前記面状発光部の裏面から上方へ突出して取付けられている位置決めブロックと、前記据付用部材を保持してスライドするとともに前記位置決めブロックに位置決めされるスライド金具を有し、前記据付用部材は、前記据付用部材支持部に支持されるべく略垂直に折曲加工された取付部と、前記取付部の下端から上に凸状に折曲されて前記天井等の前記裏面を押圧して前記器具本体を保持する保持部と、を有している。
【０００７】
この構成により、面状照明器具を取付穴に取付けるために面状発光部の裏面に設けられている据付部が、面状発光部の中央部と外縁部との間でスライド可能かつ固定可能に設けられているので、取付穴の内径に合わせて据付部を位置決めすることにより、ずれ等を防止して、面状照明器具を種々の大きさの取付穴に適正に取付けることができる。
この構成により、面状照明器具を取付穴に保持する据付用部材を、取付穴の内径に合わせて位置決めし、据付用部材支持部により固定するので、取付穴の内周面に近づけて据付用部材を取付けることができ、据付時に大きな力を発生することができる。
【００１０】
さらに、本発明の面状照明器具は、前記面状発光部における前記給電部が取り付けられている側の面の外縁部付近に、外縁部から中心部に向かって高くなる傾斜面が設けられている構成を有している。
【００１１】
この構成により、取付穴の内径が小さい場合には、面状発光部の周縁部を取付穴近傍の天井等から離すことができ、天井等が熱焼けするのを防止することができる。また、取付穴の径が大きい場合には、放熱性が良いので、面状発光部の周縁部を取付穴の近傍の天井等に近接させることができ、外観を改善することができる。さらに、取付穴の内径が途中の大きさの場合には、取付穴の内周面が傾斜面に当接するので、面状照明器具をしっかりと固定することができる。
【発明の効果】
【００１２】
本発明は、面状照明器具を取付穴に取付けるために、面状発光部の裏面に設けられている据付部が、面状発光部の中央部と外縁部との間でスライド可能かつ固定可能に設けられているので、取付穴の内径に合わせて据付部を位置決めすることにより、ずれ等を防止して、面状照明器具を種々の大きさの取付穴に適正に取付けることができるという効果を有する面状照明器具を提供することができるものである。
【発明を実施するための最良の形態】
【００１３】
（第１実施形態）
以下、本発明の第１実施形態にかかる面状照明器具について、図面を用いて説明する。
図１（Ａ）は本発明の第１実施形態にかかる面状照明器具を裏側から見た斜視図、図１（Ｂ）は同じく表側から見た斜視図、図２（Ａ）は据付部材を移動させた状態を示す裏側から見た斜視図、図２（Ｂ）は同じく表側から見た斜視図、図３（Ａ）は異なる内径の取付穴に取付けた状態を示す平面図、図３（Ｂ）〜（Ｄ）は同じく側面図である。
【００１４】
図１に示すように、この面状照明器具１０は天井１１（図３（Ｂ）参照）等に設けられた取付穴１２に挿嵌して取付けられるものであり、面状発光部２１と、この面状発光部２１の裏面２１ａに設けられた給電部２２とを有する器具本体２０と、器具本体２０を取付穴１２に据付ける据付部３０を有している。
【００１５】
面状発光部２１は、光源であるＬＥＤ２４を下方に向けて装着するとともに、面状発光部２１の裏面２１ａである上面に給電部２２が取付けられた円形の面状発光部本体２３と、この面状発光部本体２３の前面および外側を覆うカバー部材２５を有している。カバー部材２５は、面状発光部本体２３に装着されているＬＥＤ２４の前方（下方）に対応してレンズ２４ａ等のカバーが取付けられており、ネジ２６によって面状発光部本体２３の下面に取付けられている。このカバー部材２５は、器具本体２０を取付穴１２に取付けた際に、取付穴１２との間の隙間を隠すことができるものであり、大きめに形成されている。なお、ネジ２６の下面は、化粧ネジ２６ａによって隠されて、外観を向上させている。
【００１６】
面状発光部２１の裏面２１ａ（光照射側と反対側面）に設けられている据付部３０は、取付穴１２の裏面との間に器具本体２０を据付けるバネ部材からなる複数個（ここでは２個）の据付用部材３１と、各据付用部材３１を面状発光部の中央部と外縁部との間でスライド可能かつ固定可能に支持する据付用部材支持部３２とを有している。また、面状発光部２１の裏面２１ａの外縁部付近には、外縁部から中心部に向かって高くなる傾斜面２１ｂが設けられている。
【００１７】
据付用部材３１は、据付用部材支持部３２に支持されるべく略垂直に折曲加工された取付部３１ａと、取付部３１ａの下端から上に凸状に折曲形成されて天井１１の裏面を弾性力により押圧して器具本体２０を保持する保持部３１ｂと、保持部３１ｂの先端を下方へ曲げ加工した係止部３１ｃを有している。係止部３１ｃは、器具本体２０を据付用部材３１の弾性力に抗して取付穴１２から取り外す際に、器具本体２０を取付穴１２から引き下げた状態で一旦係止部３１ｃによって取付穴１２の周縁に係止することにより、落下を防止している。
【００１８】
据付用部材支持部３２は、面状発光部２１の裏面２１ａから上方へ突出して取付けられている位置決めブロック３３と、据付用部材３１を保持してスライドするとともに位置決めブロック３３に位置決めされるスライド金具３４を有している。
【００１９】
位置決めブロック３３の上面は面状発光部２１の中央側から外周側に向かって下方へ傾斜しており、位置決めブロック３３の上面には、スライド金具３４を所望の位置で位置決めするために所定の間隔でスライド方向に直交する方向に設けられている複数の位置決め溝３３ａと、スライド方向に設けられているスライド溝３３ｂを有している。なお、スライド金具３４は、位置決めブロック３３の上面の中心側端部にも位置決め可能となっている（図３（Ａ）の左半分および（Ｂ）参照）。
【００２０】
スライド金具３４の一端には、据付用部材３１の取付部３１ａを取付けるための取付部３４ａが略垂直に折曲形成されており、他端は下側から位置決め溝３３ａに嵌合して係止される係止片３４ｂが上方に折曲形成されている。なお、スライド金具３４における係止片３４ｂの近傍には、位置決めブロック３３のスライド溝３３ｂを貫通してネジ３４ｃが取付けられており、スライド金具３４が位置決めブロック３３から下方へ脱落しないように支持している。これにより、ネジ３４ｃを緩めてスライド金具３４を位置決めブロック３３に対してスライドさせると、ネジ３４ｃはスライド溝３３ｂに沿って移動可能であり、かつネジ３４ｃを締めることによりスライド金具３４を固定可能となっている。
【００２１】
従って、据付用部材３１の位置決めは、図２に示すように、まず、スライド金具３４のネジ３４ｃを緩めて、係止片３４ｂを位置決めブロック３３の位置決め溝３３ａから下方へ外してスライド可能な状態とする。そして、ネジ３３ｃをスライド溝３３ｂに沿って移動させることにより据付用部材３１を保持したスライド金具３４を所望の位置まで移動させる。このとき、位置決めブロック３３の上面が傾斜しているので、スライド金具３４はスライドに伴って上下移動する。その後、ネジ３４ｃを締めてスライド金具３４を持ち上げ、係止片３４ｂを下方から位置決め溝３３ａに挿嵌して位置決めするとともに、さらにネジ３３ｃを締めてスライド金具３４を固定する。これにより、据付用部材３１を所望の位置に位置決めすることができる。
【００２２】
次に、図３を参照して、面状発光部２１の傾斜面２１ｂの上端に形成される上端円２１ｃよりも小さい内径（例えばφ１００ｍｍ）の取付穴１２に取付けた場合、傾斜面２１ｂの途中の大きさ（例えばφ１２５ｍｍ）の取付穴１２に取付けた場合、および傾斜面２１ｂの下端に形成される下端円２１ｄよりも大きい内径（例えばφ１５０ｍｍ）の取付穴１２に取付けた場合について説明する。
【００２３】
小さい内径（φ１００ｍｍ）の取付穴１２に器具本体２０を取付ける場合には、図３（Ｂ）に示すように、スライド金具３４を位置決めブロック３３の最も内側の位置決め溝３３ａ（内側端部）に位置決めしてネジ３４ｃを締め付けて固定する。取付穴１２が小さいので、取付穴１２の外縁である天井１１の下面１１ｂは、面状発光部２１の裏面２１ａに当接する。
これにより、カバー部材２５の裏面が天井１１の下面１１ｂから浮いた状態となるので、器具の表面温度が高くなっても、天井１１等の熱焼けによる変色を防止することができる。
【００２４】
また、途中の大きさ（φ１２５ｍｍ）の取付穴１２に器具本体２０を取付ける場合には、図３（Ｃ）に示すように、スライド金具３４を位置決めブロック３３の中間の位置決め溝３３ａに位置決めしてネジ３４ｃを締め付けて固定する。取付穴１２の下端縁１１ｃは、面状発光部２１の傾斜面２１ｂに当接する。
これにより、取付穴１２の内周面が面状発光部２１の傾斜面２１ｂに当接するので、面状照明器具１０をしっかりと取付穴１２に固定することができる。
【００２５】
さらに、大きい内径（φ１５０ｍｍ）の取付穴１２に器具本体２０を取付ける場合には、図３（Ｄ）に示すように、スライド金具３４を位置決めブロック３３の最も外側の位置決め溝３３ａに位置決めしてネジ３４ｃを締め付けて固定する。取付穴１２が大きいので、取付穴１２の外縁である天井１１の裏面１１ａは、カバー部材２５の裏面２５ａに当接する。
これにより、取付穴１２の径が大きい場合には天井裏の放熱性が良く、天井１１の下面１１ｂがカバー部材２５の裏面２５ａに接触しても、熱焼けによる変色等を起こさないので、面状発光部２１の周縁部を取付穴１２の近傍の天井１１等に近接させることができ、外観を改善することができる。
【００２６】
以上、説明した第１実施形態にかかる面状照明器具１０によれば、面状照明器具１０を取付穴１２に取付けるために、面状発光部２１の裏面２１ａに設けられている据付部３０の据付用部材３１が、面状発光部２１の中央部と外縁部との間でスライド可能かつ固定可能に設けられているので、取付穴１２の内径に合わせて据付用部材３１を位置決めすることにより、ずれ等を防止して、面状照明器具１０を種々の大きさの取付穴１２に適正に取付けることができる。
【００２７】
また、面状照明器具１０を取付穴１２に保持する据付用部材３１を、取付穴１２の内径に合わせて位置決めし、据付用部材支持部３２により固定するので、取付穴１２の内周面に近づけて据付用部材３１を取付けることができ、据付時に大きな力を発生することができる。
【００２８】
（第２実施形態）
次に、本発明の第２実施形態について説明する。
図４（Ａ）は第２実施形態にかかる面状照明器具を異なる内径の取付穴に取付けた状態を示す平面図、図４（Ｂ）〜（Ｄ）は同じく側面図である。なお、前述した第１実施形態と共通する部位には同じ符号を付して、重複する説明を省略することとする。
【００２９】
図４に示すように、第２実施形態にかかる面状照明器具１０Ｂでは、位置決めブロック３３Ｂの上面は水平に設けられている。従って、スライド金具３４をスライドさせた際に、据付用部材３１は水平に移動することになる。この場合にも、前述した面状照明器具１０と同様の作用・効果を得ることができる。
【００３０】
また、第２実施形態にかかる面状照明器具１０Ｂにおいては、面状発光部２１の裏面２１ａにベースプレート３５を設けて、ベースプレート３５の裏面（上面）３５ａが天井１１の下面１１ｂに当接するようにすることができる。
これにより、面状照明器具１０Ｂの天井１１に対する取付高さが一定となるとともに、取付穴１２との間の隙間を覆うことができる。なお、ベースプレート３５は、カバー部材２５よりも大きくないものとして、カバー部材２５から露出しないものが望ましい。
【００３１】
なお、本発明の面状照明器具は、前述した実施形態に限定されるものでなく、適宜な変形，改良等が可能である。
【図面の簡単な説明】
【００３２】
【図１】（Ａ）は本発明の第１実施形態にかかる面状照明器具を裏側から見た斜視図、（Ｂ）は同じく表側から見た斜視図
【図２】（Ａ）は据付部材を移動させた状態を示す裏側から見た斜視図、（Ｂ）は同じく表側から見た斜視図
【図３】（Ａ）は異なる内径の取付穴に取付けた状態を示す平面図、（Ｂ）〜（Ｄ）は同じく側面図
【図４】（Ａ）は第２実施形態にかかる面状照明器具を異なる内径の取付穴に取付けた状態を示す平面図、（Ｂ）〜（Ｄ）は同じく側面図
【図５】従来の照明器具における目隠し用プレートの斜視図
【符号の説明】
【００３３】
１０  面状照明器具
１２  取付穴
２０  器具本体
２１  面状発光部
２１ａ  裏面
２１ｂ  傾斜面
２２  給電部
２４  ＬＥＤ（光源）
３０  据付部
３１  据付用部材
３２  据付用部材支持部
【図１】
0005265238.tif 000002
【図２】
0005265238.tif 000003
【図３】
0005265238.tif 000004
【図４】
0005265238.tif 000005
【図５】
0005265238.tif 000006